(57)【要約】      （修正有）【課題】キャットタワーにおける支持柱の取付について、組み立てや分解の作業が短時間で省労力で実行でき、その組み立て作業にあって誤動作がなく精度よく実行することができ、崩れてしまう虞もない支持柱の取付構造を提供する。【解決手段】台座と平板Ｐ間、もしくは平板Ｐと第二の平板間を支持し、連結する支持柱を取り付ける構造で、台座もしくは平板Ｐに固定される固定パーツ８と、その固定パーツ８に嵌合してロックされ、支持柱の一端が嵌め付けられる受筒を有する嵌合パーツを有し、固定パーツ８の中央部位には透孔１０が形成され、嵌合パーツには、透孔１０に嵌め込まれ、回動することで抜け止めされ、ロック状態とされるロック部が一体に形成されている。【選択図】図７
0003227596.tif 000002
【実用新案登録請求の範囲】
【請求項１】
台座と平板間、もしくは平板と第二の平板間を支持し、連結する支持柱を取り付ける構造で、台座もしくは平板に固定される固定パーツと、その固定パーツに嵌合してロックされ、支持柱の一端が嵌め付けられる受筒を有する嵌合パーツを有し、前記した固定パーツの中央部位には透孔が形成され、前記した嵌合パーツには、前記した透孔に嵌め込まれ、回動することで抜け止めされ、ロック状態とされるロック部が一体に形成されていることを特徴とするキャットタワーの支持柱取付構造。
【請求項２】
前記した固定パーツは円盤状とされ、前記した透孔の周域には等ピッチで偶数個のボルト孔が設けられており、平板に固定する際には、その平板の上下方向から固定パーツを対向させて取り付け固定し、ボルトは相互に位置をずらせて螺着してあることを特徴とする請求項１に記載のキャットタワーの支持柱取付構造。
【請求項３】
前記した固定パーツの透孔を形成した部分の裏面は嵌合パーツのロック部の受面とされ、そのロック部と摺接する部分はスライドガイドの斜面から肉薄に形成されており、摺接する部分以外は微細な多数の突起を形成した防滑処理が施されていることを特徴とする請求項１に記載のキャットタワーの支持柱取付構造。
【請求項４】
前記した固定パーツにおけるロック部の受面には前記したスライドガイドの斜面と逆側にはロック部の回動を抑止するストッパが形成されていることを特徴とする請求項３に記載のキャットタワーの支持柱取付構造。
【請求項５】
前記した嵌合パーツは円板状の基板を有し、その中心に中心軸を有し、その中心軸の突出部にロック部を一体に形成し、そのロック部と反対側の基板周縁寄りには支柱嵌め付用の受筒部を一体に形成してあることを特徴とする請求項１に記載のキャットタワーの支持柱取付構造。
【請求項６】
前記した中心軸の、前記した受筒部内部では、その中心軸の外周面から受筒部の内壁面に至る補強翼片が複数個、一体に形成されていることを特徴とする請求項５に記載のキャットタワーの支持柱取付構造。
【請求項７】
前記した受筒部の外周面には縦方向に等ピッチで補強用の突条が形成されていることを特徴とする請求項５または６に記載のキャットタワーの支持柱取付構造。
【考案の詳細な説明】
【技術分野】
【０００１】
本考案は愛玩用猫が遊び、休息をとるためのキャットタワーの、特に台座よりも上方に位置する平板にあって、台座もしくは、さらに上方にある第二の平板間と間で平板、第二の平板を支持する支持柱の取付構造に関する。
【背景技術】
【０００２】
従来、上記したキャットタワーの存在は知られているところであり、そのキャットタワーが台座や複数の平板を有しており、その台座と平板の間、そして各平板間に支持柱が配置される構造も知られているところである。
【０００３】
しかしながら、従来の支柱取付構造は、固定パーツを台座或いは平板に固定させるについて、複数のボルトを用いて止着する構造であり、組み立てあるいは分解に多大な時間と労力を要するものとなっていた。
【先行技術文献】
【特許文献】
【０００４】
出願人は、本願考案について、先行する技術文献を調査したが、格別に本願考案と関連し、類似していると思われる文献は発見できなかった。
【考案の概要】
【考案が解決しようとする課題】
【０００５】
本願考案が解決しようとする問題点は、従来のキャットタワーにおける支持柱の取付について、組み立てや分解の作業が短時間で省労力で実行できるものがなかったという点であり、その組み立て作業にあって誤動作がなく精度よく実行することができ、崩れてしまう虞もないという支持柱の取付構造はなかったという点である。
【課題を解決するための手段】
【０００６】
本考案に係る問題点を解決するために、キャットタワーの支持柱の取付構造は、台座と平板間、もしくは平板と第二の平板間を支持し、連結する支持柱を取り付ける構造で、台座もしくは平板に固定される固定パーツと、その固定パーツに嵌合してロックされ、支持柱の一端が嵌め付けられる受筒を有する嵌合パーツを有し、前記した固定パーツの中央部位には透孔が形成され、前記した嵌合パーツには、前記した透孔に嵌め込まれ、回動することで抜け止めされ、ロック状態とされるロック部が一体に形成されていることを特徴としている。
【０００７】
また、本考案に係るキャットタワーの支持柱取付構造は、前記した固定パーツは円盤状とされ、前記した透孔の周域には等ピッチで偶数個のボルト孔が設けられており、平板に固定する際には、その平板の上下方向から固定パーツを対向させて取り付け固定し、ボルトは相互に位置をずらせて螺着してあることを特徴としている。
【０００８】
さらに、本考案に係るキャットタワーの支持柱取付構造は、前記した固定パーツの透孔を形成した部分の裏面は嵌合パーツのロック部の受面とされ、そのロック部と摺接する部分はスライドガイドの斜面から肉薄に形成されており、摺接する部分以外は微細な多数の突起を形成した防滑処理が施されていることを特徴としている。
【０００９】
そして、本考案に係るキャットタワーの支持柱取付構造は、前記した固定パーツにおけるロック部の受面には前記したスライドガイドの斜面と逆側にはロック部の回動を抑止するストッパーが形成されていることを特徴としている。
【００１０】
また、本考案に係るキャットタワーの支持柱取付構造は、前記した嵌合パーツは円板状の基板を有し、その中心に中心軸を有し、その中心軸の突出部にロック部を一体に形成し、そのロック部と反対側の基板周縁寄りには支柱嵌め付用の受筒部を一体に形成してあることを特徴としている。
【００１１】
さらに、本考案に係るキャットタワーの支持柱取付構造は、前記した中心軸の、前記した受筒部内部では、その中心軸の外周面から受筒部の内壁面に至る補強翼片が複数個、一体に形成されていることを特徴としている。
【００１２】
そして、本考案に係るキャットタワーの支持柱取付構造は、前記した受筒部の外周面には縦方向に等ピッチで補強用の突条が形成されていることを特徴としている。
【考案の効果】
【００１３】
本考案に係るキャットタワーの支持柱取付構造は上記したように構成されている。そのため、キャットタワー全体の組み立て、分解作業が短時間で省労力で済むこととなる。また、組み立て作業における誤動作もなく、組み立て状態は精密で強固なものとなり、多少の衝撃では崩れてしまう虞もないものとなる。
【図面の簡単な説明】
【００１４】
【図１】嵌合パーツを示す正面図である。
【図２】同じく平面図である。
【図３】同じく底面図である。
【図４】固定パーツを示す正面図である。
【図５】同じく平面図である。
【図６】同じく底面図である。
【図７】平板の上下面へ固定パーツを装着する状態の図である。
【図８】同じく装着状態を示す図である。
【図９】固定パーツへ嵌合パーツを嵌め付ける状態の図である。
【図１０】同じく嵌め付け、ロック状態を示す図である。
【考案を実施するための形態】
【００１５】
図面として示し、実施例で説明したように構成したことで実現した。
【実施例１】
【００１６】
次に、本考案の好ましい実施の一例を図面を参照して説明する。図中１は、本考案の実施に使用される嵌合パーツを示しており、この嵌合パーツ１は全体が硬質のプラスチックで成形されている。この嵌合パーツ１は平滑な円板状の基板２を有しており、この基板２の下面には円筒部３が一体に設けられている。この円筒部３は支持柱としての円筒の一端がその外周面に嵌め付けられることとなる。
【００１７】
前記した基板２の中心には中心軸４が上下に貫通状態で一体に形成されており、中心軸４の上方突出部分の頂部には、中心軸４を境として相互に延長されたロック部５が一体形成されている。このロック部５は、本実施例では両端を拡開させた異形としてあるが、中心軸４を中心として、その両端が同時に回動できればよいのであって、楕円形等他の形状をとることも可能である。
【００１８】
また、前記した中心軸４は円筒部３内に延設され、その中心軸４の外周面と円筒部３の内壁面との間に補強翼片６、６‥が十字状に形成されている。勿論、この補強翼片６、６‥の数は実施例に限定されることなく変更することは可能である。
【００１９】
さらに、円筒部３の外周面には基板１の下面から、複数の補強用突条７、７‥が等ピッチで形成されており、この補強用突条７、７‥は円筒部３の外周面に被冠嵌合される円筒支持柱の内面と接触して、支持柱の回動を抑止する摩擦ストッパーともなる。
【００２０】
一方、図中８は固定パーツを示しており、この固定パーツ８も嵌合パーツ１と同様の硬質プラスチックで全体が成形されている。この固定パーツ８は厚さを有する円盤状となっており、その上面中央には厚さをやや薄くした上板９が一体に設けられており、その上板９の中央には、前記したロック部５と対応する異形の透孔１０が穿設されている。
【００２１】
この透孔１０の周辺となる上板９の裏面は、この透孔１０に嵌め込まれたロック部５の両端の受面１１となっている。透孔１０に嵌め込まれたロック部５は一定方向にのみ回動され、そのロック部５と受面１１との係合によって、嵌合パーツは固定パーツ８にロック状態とされ位置決め固定される。
【００２２】
前記した受面１１の透孔１０の縁には、点対称位置にストッパー１２、１２（立壁）が一体形成され、ロック部５の回動方向を規制している。また、ロック部５の回動方向にあっては、ロック部５の受面１１との摺接をガイドし補助する斜面が透孔１０の縁に形成されるとともに、上板９の該部分を肉薄として回動動作を容易としている。また、それに続く受面には微細な突起を多数形成した防滑処理１３が施されている。
【００２３】
また、この固定パーツ８の周縁寄りには、本実施例にあっては六個の上下に貫通するボルト孔１４、１４‥が６０度ピッチで形成されている。このボルト孔１４、１４‥は孔の途中にボルトの頭部を受ける段部が各々形成されている。
【００２４】
さらに、この固定パーツ８は外周壁と同心円状の内筒部１５が一体に設けられ、前記した上板９はこの内筒部１５の最上部分に構成されたものとなっており、ボルト孔１４、１４‥は外周壁と内筒部１５との間に形成されている。
【００２５】
固定パーツ８の外周壁と内筒部１５との間には、ボルト孔１４、１４‥の間に等間隔で補強壁１６、１６‥がやはり６０度ピッチで設けられており、そのうち、透孔１０の長手方向に対応する二つの補強壁１６、１６には台座もしくは平板に突き刺し、位置決めするための、先端が尖った刺し込みピン１７、１７が一体形成されている。
【００２６】
続いて、この固定パーツ１と嵌合パーツ８の使用方法と装着構造について説明する。図７及び図８にあって図中Ｐは、台座の上方に支持柱によって支持保持される平板を示している。そして、実施例における構成は、この平板Ｐの上方に図示しない第二の平板もセットする場合を示している。
【００２７】
平板Ｐの上面及び下面に固定パーツ８、８の刺し込みピン１７、１７を突き刺して、固定パーツ８、８を位置決めするが、ここでは平板Ｐを挟んで両固定パーツ８、８は対向する配置とする。尚、実施例の図にあって、透孔１０、１０の位置は平行状態としているが、これはクロス状態の配置とすることもできる。
【００２８】
次いで、各固定パーツ８、８を平板Ｐにボルト（ネジ）１８、１８‥で固着することとなるが、このボルト１８、１８は各固定パーツ８、８のボルト孔１４、１４‥のうち１２０度づつ位置をずらせて三箇所づつで対応する。即ち、上側の固定パーツ８に対してボルト孔１４、１４‥は図中のＡ、Ｃ、Ｅの部分が使用され、下側の固定パーツ８に対してはボルト孔１４、１４‥のうち、Ｂ、Ｄ、Ｆの部分が使用される。これによって、仮に、ボルト１８、１８‥が長いものであってもボルト同士がぶつかってしまうことはなく、精巧に螺着作業が行うことができる。
【００２９】
こうして平板Ｐ（あるいは台座）に固着された固定パーツ８に対して、嵌合パーツ１のロック部５を透孔１０に嵌め込み、所定の方向に嵌合パーツ１を回動させることで、嵌合パーツ１もロックされ、固定された状態となる。
【００３０】
この固定状態とされた嵌合パーツ１の円筒部３に対して、円筒状をした支持柱（特に図示せず）を嵌め付けてキャットタワーが組み立てられる。尚、ここで支持柱は紙製のものを想定しているが、その構造は円筒状の硬芯材の外周面に傷防止用のプラスチックフィルムを貼設し、その外表面にさらに選択された紙が貼付したものとなっており、猫の爪研ぎ動作によっての損傷を少なくするようになっている。
【産業上の利用可能性】
【００３１】
本実施例におけるキャットタワーの支持柱取付構造は上記のように構成されている。実施例では支持柱として円筒状のものを想定しているが、これにこだわらず角筒、あるいは多角形のようなものでも勿論可能であり、その場合、嵌合パーツの円筒部３もそれに合わせて形状を変更させてやることが可能である。
【符号の説明】
【００３２】
１    嵌合パーツ
２    基板
３    円筒部
４    中心軸
５    ロック部
６    補強用翼片
７    補強用突条
８    固定パーツ
９    上板
１０  透孔
１１  受面
１２  ストッパー
１３  防滑処理
１４  ボルト孔
１５  内筒部
１６  補強壁
１７  刺し込みピン
１８  ボルト
Ｐ    平板
【図１】
0003227596.tif 000003
【図２】
0003227596.tif 000004
【図３】
0003227596.tif 000005
【図４】
0003227596.tif 000006
【図５】
0003227596.tif 000007
【図６】
0003227596.tif 000008
【図７】
0003227596.tif 000009
【図８】
0003227596.tif 000010
【図９】
0003227596.tif 000011
【図１０】
0003227596.tif 000012